(57)【要約】【課題】容器を転倒しにくくすることで、転倒による液状内容物の流出や容器の破損を防止する。【解決手段】上面に開口部を有する円筒状の首部１と、略球体状に膨らんだ胴部２とからなる容器１０において、胴部２の底面２１を略球面状とし、胴部２の底面２１の厚みＬ２を側面２２の厚みＬ１よりも厚く形成することで、底面２１に重心が位置するように構成する。【選択図】図１
0003142315.tif 000002
【実用新案登録請求の範囲】
【請求項１】
上面に開口部を有する略球状体の容器において、底面が略球面状で、前記底面に重心が位置するように構成されていることを特徴とする容器。
【請求項２】
前記底面に重心が位置するように、側面から底面に向かって徐々に厚みが厚くなるように形成され、底面の厚みが側面の厚みよりも厚く形成されていることを特徴とする請求項１に記載の容器。
【考案の詳細な説明】
【技術分野】
【０００１】
本考案は、容器に関し、特に、醤油やソース等の液状調味料や、香水・化粧水等の液状化粧品のように、液状内容物を入れるために好適に用いることができる容器に関するものである。
【背景技術】
【０００２】
従来、液状調味料等の液状内容物が入れられる容器においては、転倒すると液状内容物が流出しやすいことが問題視されている。
【０００３】
そこで、特許文献１では、合成樹脂製中空容器の底面に、容器の動きを制する摩擦機能を備えた接触部を設けることで、容器を転倒しにくくし、液状内容物の流出を防止することが提案されている。
【０００４】
また、容器が転倒した場合であっても、容器の上面に設けられた開口部（注ぎ口）からの液状内容物の流出を防止するための技術として、特許文献２及び特許文献３に記載の技術が提案されている。
【０００５】
特許文献２では、容器の上面に設けられた注ぎ口の突出方向とは反対側の側面に錘を備え、容器が倒れた場合に、常に注ぎ口が上面に位置するように構成したことにより、容器が転倒しても注ぎ口からの液状内容物の流出を最小限に抑えることが提案されている。
【０００６】
特許文献３では、容器の外側にこぼれ止めピースを備え、容器が転倒した場合に、注ぎ口が容器内に入れられた液状内容物の液面よりも高く保持されるように構成したことにより、容器が転倒しても注ぎ口からの液状内容物の流出を最小限に抑えることが提案されている。
【特許文献１】特開２００６−１６０７１号公報
【特許文献２】特開平１１−２１６０５６号公報
【特許文献３】特開平１１−２４０５４８号公報
【考案の開示】
【考案が解決しようとする課題】
【０００７】
しかしながら、上述した特許文献１に記載の容器では、底面に設けた接触部に許容範囲を超える外力が加わることで一度容器が傾くと、そのまま転倒しやすいため、転倒による液状内容物の流出を防止するという点で更なる改善の余地があった。
【０００８】
一方、上述した特許文献２及び特許文献３に記載の容器では、いずれも容器が転倒した場合に、液状内容物の流出を最小限に抑えることを目的としてなされたものであるため、転倒による液状内容物の流出を防止するという点で更なる改善の余地があるとともに、壊れやすいガラスや陶器等の材料で容器を作製すると、転倒により破損しやすいという問題があった。
【０００９】
そこで、本考案は、上記事情に鑑みてなされたものであり、転倒による液状内容物の流出や破損を防止できる容器を提供することを課題としている。
【課題を解決するための手段】
【００１０】
このような課題を解決するために、本考案は、上面に開口部を有する略球状体の容器において、底面が略球面状で、前記底面に重心が位置するように構成されていることを特徴とする容器を提供する。
【００１１】
本考案の容器によれば、底面を略球面状とし、底面に重心が位置するように構成したことにより、底面が揺動自在で、その上面を底面に対して常に略垂直方向に保持する力が作用するため、容器が傾いても、そのまま転倒することなく、容器の上面が底面に対して略垂直方向に保持されるように起き上がる。
【００１２】
よって、本考案の容器は、転倒しにくいため、転倒による液状内容物の流出や容器の破損を防止することができる。
したがって、本考案の容器は、醤油やソース等の液状調味料や、香水や化粧水等の液状化粧品のように、容器が転倒すると流出しやすい液状内容物を入れる容器として好適に用いることができる。また、本考案の容器は、ガラスや陶器等のように壊れやすい材料で好適に作製することができる。
【００１３】
ここで、本考案の容器において、底面に重心が位置するように構成するための手段として、側面から底面に向かって徐々に厚みが厚くなるように形成され、底面の厚みを、側面の厚みよりも厚く形成してもよい。
【考案の効果】
【００１４】
本考案の容器によれば、略球状体の容器において、底面を略球面状とし、底面に重心が位置するように構成したことにより、容器が傾いても、容器の上面が底面に対して略垂直方向に保持されるように起き上がるため、転倒しにくく、転倒による液状内容物の流出や容器の破損を防止することができる。
【考案を実施するための最良の形態】
【００１５】
以下、本考案の実施形態について図面を参照しながら説明する。
【００１６】
＜実施形態＞
図１は、本考案における容器の一構成例を示し、図１（ａ）は斜視図、図１（ｂ）は図１（ａ）の縦断面図である。
【００１７】
本実施形態における容器１０は、図１に示すように、円筒状の首部１と、略球体状に膨らみ、略球状の底面２１を有する胴部２とからなるガラス製の容器であり、首部１の上面に設けられた開口部から内部に液状内容物が入れられるように構成されている。
【００１８】
また、胴部２の厚みは、側面２２から底面２１に向かって徐々に厚くなるように形成され、底面２１をなす部分の厚みＬ２は、側面２２をなす部分の厚みＬ１よりも厚く形成されている。これにより、容器１０の底面２１に重心が位置するように構成されている。
【００１９】
さらに、首部１には、容器１０に入れられた液状内容物の注ぎ口３１を有する蓋部３が着脱自在に螺合するように構成されている。
【００２０】
すなわち、この容器１０は、底面２１を略球状にし、底面２１に重心が位置するように構成されていることから、底面２１が揺動自在で、首部１を底面２１に対して常に略垂直方向に位置するように保持する力が作用する。このため、図２（ａ）に示すように容器１０が傾いても、図２（ｂ）に示すように容器１０が自ら起き上がり、容器１０の首部１が底面２１に対して略垂直方向に位置するように保持される。
【００２１】
よって、本実施形態における容器１０によれば、転倒しにくいため、転倒による液状内容物の流出や容器１０の破損を防止することができる。
【００２２】
また、上述した本実施形態では、液状内容物の注ぎ口３１を有する蓋部３を用いた場合について説明したが、蓋部３の構成はこれに限らない。
例えば、図３に示すように、蓋部３を動物等のキャラクター形状に形成してもよい。また、注ぎ口３１を蓋部３ではなく容器１０，１０Ａの首部１に設けた構成としてもよいし、容器１０，１０Ａの首部１にも蓋部３にも注ぎ口は設けず、蓋部３を外して液状内容物を注ぐようにしてもよい。
【図面の簡単な説明】
【００２３】
【図１】本考案における容器の一構成例を示す説明図である。
【図２】本考案における容器の一動作例を示す説明図である。
【図３】本考案における容器の他の構成例を示す説明図である。
【符号の説明】
【００２４】
１    首部
２    胴部
３    蓋部
１０，１０Ａ    容器
２１      底面
２２      側面
【図１】
0003142315.tif 000003
【図２】
0003142315.tif 000004
【図３】
0003142315.tif 000005